(57)【特許請求の範囲】
【請求項１】
脚部を有したスタンド本体に対し、上下に所定の間隔をあけて上部側支持板部材および下部側支持板部材を設け、
両支持板部材に、それぞれ一列に複数の孔を設け、
採血針につながる導針が穿刺される蓋体で蓋がされた真空採血管を、当該蓋体を上にして両支持板部材の各孔を上下に貫通させて、前記上部側支持板部材の孔に前記蓋体でぶら下がり立った状態で保持して、前記上部側支持板部材の上に臨む前記蓋体に前記導針を穿刺して前記真空採血管に採血可能にし、ぶら下がり立った状態で保持された時に両支持板部材間に位置するように前記真空採血管の外周に貼られた識別用ラベルを両支持板部材間に位置させる
ことを特徴とする採血管用スタンド。
【請求項２】
前記両支持板部材の間に、前記真空採血管の先端部を摺動可能に当接されて、前記先端部を前記下部側支持板部材の孔に導くガイド部を備えたことを特徴とする請求項１に記載の採血管用スタンド。
【請求項３】
前記下部側支持板部材の孔は、前記真空採血管が所定方向から寝かされた状態で挿入された場合に、当該真空採血管の上部側あるいは中間部を支持するように長孔形状とされていることを特徴とする請求項１に記載の採血管用スタンド。
【請求項４】
前記上部側支持板部材および前記下部側支持板部材の間は、支持された前記真空採血管に触れるように開放状態とされていることを特徴とする請求項１ないし請求項３のいずれかに記載の採血管用スタンド。
【発明の詳細な説明】
【技術分野】
【０００１】
本発明は、採血管用スタンドに係り、特に真空採血管を採血作業中に保持するための採血管用スタンドに関する。
【背景技術】
【０００２】
近年、血清生化学検査、血球検査などの血液検査が広く普及しており、病気予防や病気の早期発見に役立っている。
このような血液検査に用いる血液を採取する際には、真空採血管を用いた採血法が多く用いられている（例えば、特許文献１参照）。真空採血管は、試験管状の容器本体と、容器本体内の減圧状態を保持する栓と、を備えたものであり、専用の採血ホルダを介して減圧状態となった容器本体内部へ血液を導くことにより血液を採取している。
【０００３】
具体的には、以下のような手順で血液を採取する。
まず、室内温度になった真空採血管を準備し、採血針を採血ホルダにセットする。
次に被験者の腕に駆血帯を装着し、穿刺部位を消毒し、採血針を血管に穿刺し、真空採血管をホルダにまっすぐ完全に押し込む。
これにより、血管内の圧力と容器本体内の圧力が平衡状態となるまで、血液が容器本体内に流れ込むこととなるので、採血の血流が停止したら、直ちに採血管をホルダから外す。そして、連続採血する場合には、採血ホルダを被験者の腕に確実に固定したまま、真空採血管を取り替える。
【０００４】
この場合において、容器本体内には、血液の凝固を促進し、あるいは、凝固を阻害するための添加剤が予め注入されているので、採血後、直ちにゆっくりと転倒混和し、血液と添加剤を十分に混和させる必要がある。
そして、採血終了後、真空採血管を採血ホルダから抜去した後に駆血帯を外して採血針を抜き、採血針を適切な耐貫通性廃棄容器に廃棄することとなる。
【特許文献１】特開昭６１−１９５３５７号公報
【発明の開示】
【発明が解決しようとする課題】
【０００５】
ところで、上述したように一人の被験者に対し、複数の真空採血管を用いる場合があり、このような場合には、確実に当該被験者に対応する検査項目の真空採血管であるか否かを確実に確認する必要がある。
また、連続採血時には、採血ホルダを被験者の腕に確実に固定した状態で、真空採血管を交換する必要があるが、現実的には、真空採血管の交換にはある程度の力が必要であり、真空採血管の交換と採血ホルダの保持とを同時に行い、採血針を確実に血管内に保持するのは容易ではないという問題点があった。
【０００６】
さらに、採血後、直ちにゆっくりと転倒混和し、血液と添加剤を十分に混和させる必要があるが、実際の採血現場では、作業が忙しく、確実に混和作業を行ったか否かを判断するのは容易ではないという問題点があった。
そこで、本発明の目的は、被験者名、採血管の種類並びに採血作業あるいは混和作業が済んだか否かの確認を容易とし、採血作業の容易化を図ることが可能な採血管用スタンドを提供することにある。
【課題を解決するための手段】
【０００７】
上記課題を解決するため、脚部を有したスタンド本体に対し、上下に所定の間隔をあけて上部側支持板部材および下部側支持板部材を設け、両支持板部材に、それぞれ一列に複数の孔を設け、採血針につながる導針が穿刺される蓋体で蓋がされた真空採血管を、当該蓋体を上にして両支持板部材の各孔を上下に貫通させて、前記上部側支持板部材の孔に前記蓋体でぶら下がり立った状態で保持して、前記上部側支持板部材の上に臨む前記蓋体に前記導針を穿刺して前記真空採血管に採血可能にし、ぶら下がり立った状態で保持された時に両支持板部材間に位置するように前記真空採血管の外周に貼られた識別用ラベルを両支持板部材間に位置させることを特徴としている。
上記構成によれば、真空採血管を立てた状態で、当該真空採血管の蓋体を上部側支持板部材の上に臨ませることにより、安全かつ容易に蓋体に採血用の針を穿刺することができ、採血作業の容易化が図れる。
また、真空採血管の外周の識別用ラベルを両支持板部材間の所定の間隔内に位置させて保持可能としているので、検査内容、検査対象の被験者を容易に判別でき、被験者、検査項目の確認が容易となる。
また、採血管は回転が可能なため、採血量の確認が容易となる。
この場合において、前記両支持板部材の間に、前記真空採血管の先端部を摺動可能に当接されて、前記先端部を前記下部側支持板部材の孔に導くガイド部を備えるようにしてもよい。ここで、ガイド部は、みぞであってもよい。
また、前記下部側支持板部材の孔は、前記真空採血管が所定の方向から寝かされた状態で挿入された場合に、当該真空採血管の上部側あるいは中間部を支持するように長孔形状とされているようにしてもよい。
また、前記上部側支持板部材および前記下部側支持板部材の間は、支持された前記真空採血管に触れるように開放状態とされているようにしてもよい。
【発明の効果】
【０００８】
本発明によれば、検査対象の被験者名、採血管の種類並びに採血作業あるいは混和作業が済んだか否かの確認が容易となり、採血作業の確実性と容易化の両立を図る。
【発明を実施するための最良の形態】
【０００９】
次の本発明の好適な実施の形態について、図面を参照して説明する。
［１］第１実施形態
図１は、第１実施形態の採血管用スタンドの外観斜視図である。
図２は、第１実施形態の採血管用スタンドに真空採血管を装着した場合の側面図である。
採血管用スタンド１０は、脚部を有したスタンド本体に対し、上下に所定の間隔をあけて上部側支持板部材１１および下部側支持板部材１２を設け、両支持板部材１１，１２に、後に詳述するように、それぞれ一列に複数の孔１７−１、１７−２、１８−１、１８−２を設け、両支持板部材１１，１２の各孔孔１７−１、１７−２、１８−１、１８−２を上下に貫通して、真空採血管２０を立てた状態で、当該真空採血管２０の蓋体を上部側支持板部材１１の上に臨ませるとともに、真空採血管の外周に貼付された識別用ラベルを両支持板部材１１，１２間の所定の間隔内に位置させて保持可能としている。
【００１０】
ここで、採血管用スタンド１０は、アクリルなどの透明樹脂で形成されている。
また、上部側支持板部材１１は、真空採血管２０を立てた状態で真空採血管２０の上部側を支持し、下部側支持板部材１２は、上部側支持板部材１１と略平行に対向するように設けられ、真空採血管２０を立てた状態で真空採血管２０の下部側を支持する。
スタンド本体は、真空採血管２０を下部側支持板部材１２の所定位置に導くガイド部材１３と、上部側支持板部材１１、下部側支持板部材１２およびガイド部材１３を鉛直方向に対し所定角度θだけ傾けて、ひいては、上部側支持板部材１１および下部側支持板部材１２を水平面から所定角度だけ傾けて保持する保持部材１４と、脚部として機能し、採血管用スタンド１０が倒れ込まないように支持するベース部材１５と、同じく脚部として機能しベース部材１５の下面側に設けられ、採血管用スタンド１０が採血作業中に滑らないように設けられた滑り止め脚部１６と、を備えている。
この場合において、上部側支持板部材１１および下部側支持板部材１２の間は、支持された真空採血管２０に触れることができるように開放状態とされているので、採血作業者である医師、検査技師、看護士が真空採血管２０を安全かつ確実に押さえて作業を行うことができるようになっている。
【００１１】
上述したように、上部側支持板部材１１には、複数の真空採血管に対応する複数の第１孔１７−１、１７−２が形成されている。
下部側支持板部材１２およびガイド部材１３には、第１孔１７−１、１７−２に対応する複数の第２孔１８−１、１８−２が設けられている。
この場合において、真空採血管としては、一般的に、１０ｍｍφのものと、１３ｍｍφのものとが用いられている。このため、小径の第１孔１７−１の径は、１０ｍｍφの真空採血管に対応して真空採血管の挿入が容易、かつ、採血操作時にがたつきが生じないように設定されている。一方、大径の第１孔１７−２の径は、１３ｍｍφの真空採血管に対応して真空採血管の挿入が容易、かつ、採血操作時にがたつきが生じないように設定されている。
【００１２】
一方、第２孔は、長孔として形成されており、小径の第２孔１８−１の幅（短径）Ｗ１は、１０ｍｍφの真空採血管に対応して真空採血管の挿入が容易、かつ、採血操作時に幅方向のがたつきが生じないように設定され、大径の第２孔１８−２の幅（短径）Ｗ２は、１３ｍｍφの真空採血管に対応して真空採血管の挿入が容易、かつ、採血操作時に幅方向のがたつきが生じないように設定されている。
次に実際の採血作業について説明する。
この場合において、本実施形態では、採血ホルダを用いることなく、いわゆる、翼状針チューブを用いて採血を行う。
【００１３】
図３は、採血時の状態説明図である。
翼状針チューブ３０は、採血針である静脈針３１と、この静脈針３１の後端部に把持部として形成された翼部（ウィング）３２と、一端が静脈針３１に連結されたチューブ３３と、チューブ３３の他端に連結された導針３４と、を備えている。
【００１４】
図４は、採血管用スタンドに真空採血管をセットした状態の説明図である。
図５は、図４に対応する真空採血管の保持状態説明部分断面図である。
まず、採血作業者（医師、検査技師あるいは看護士）は、室内温度になった真空採血管２０（２０Ａ、２０Ｂ）を準備する。そして、各真空採血管２０の識別用ラベルＬＢの氏名印字面を観察して、全ての真空採血管が被験者に対応するものであることを確認し、図４に示すように、各真空採血管２０の識別用ラベルＬＢの氏名印字面が被験者（患者）の正面を向くように採血管用スタンド１０にセットする。ここで、採血作業者は、識別用ラベルＬＢを参照することにより、検査内容を確認することとなる。さらには被験者にも確認させることができる。
この場合において、第１孔１７−１、１７−２に挿入された真空採血管２０の先端部は、ガイド部材１３に摺動しつつ当接し、第２孔１８−１、１８−２に導かれる。
【００１５】
そして、真空採血管２０の蓋体２０Ｌのうち、容器本体２０Ｂから外部に出ている部分の下面から真空採血管２０の先端部２０Ｆまでの長さが、上部側支持板部材１１の上面からベース部材１５の上面までの距離よりも短い場合には、蓋体２０Ｌにより真空採血管２０は、図４に真空採血管２０Ａで示すように、上部側支持板部材１１にぶら下がった状態で保持されることとなる。
また、真空採血管２０の蓋体２０Ｌのうち、容器本体２０Ｂから外部に出ている部分の下面から真空採血管２０の先端部２０Ｆまでの長さが、上部側支持板部材１１の上面からベース部材１５の上面までの距離よりも長い場合には、真空採血管２０は、図５に示すように、先端部２０Ｆがベース部材１５（＝脚部）に当接した状態で保持される。
【００１６】
この状態で被験者は、識別用ラベルＬＢに自己の氏名（図では、サトウイチロウ）が記載されていることを確認して、被験者および採血作業者の両者で問題がないと認められた時点で実際の採血作業に移行することとなる。
まず採血作業者は、図３に示すように、被験者の腕に駆血帯を装着し、穿刺部位を消毒し、静脈針３１を血管に穿刺し、翼部３２を粘着テープなどにより腕に固定する。
そして、採血作業者は、採血管用スタンド１０にセットされているいずれかの真空採血管２０の蓋体２０Ｌにまっすぐに、導針３４を刺し、完全に押し込む。このとき、必要があれば、上部側支持板部材１１と、下部側支持板部材１２との間は、開放状態とされているので、各真空採血管２０を手で押さえて操作を行うようにしてもよい。この場合に、誤って導針３４を刺し損ねた場合であっても、上部側支持板部材１１により採血作業者に導針３４が刺さるのを防止することができる。
そして、蓋体２０Ｌは、ゴムなどの弾性部材で構成されているため、導針３４はそのままの状態で保持される。
【００１７】
これにより、血管内の圧力と容器本体２０Ｂ内の圧力が平衡状態となるまで、血液が容器本体２０Ｂ内に流れ込むこととなる。
採血の血流が停止したら、採血作業者は、直ちに導針３４を真空採血管２０の蓋体２０Ｌから抜き取り、導針３４を他の真空採血管２０の蓋体２０Ｌに刺し、同様に採血を行う。
これと並行して、採血作業者は、採血が完了した真空採血管２０を採血管用スタンド１０から抜き取り、ゆっくりと転倒混和し、血液と添加剤２０ＡＤ（図２参照）を十分に混和させ、混和後の真空採血管２０を、今度は、第２孔１８−１、１８−２にのみ差し込む。
【００１８】
図６は、混和後の真空採血管の保持状態説明部分断面図である。
図７は、血液混和後の真空採血管と、混和前の真空採血管とが混在する場合の採血管用スタンドの使用状態説明図である。
図６に示すように、混和後の真空採血管２０は、第２孔１８−１、１８−２によりその上部が保持されるとともに、真空採血管２０の先端部２０Ｆがベース部材１５に当接した状態、すなわち、真空採血管２０がその上部側（あるいは中間部）を支持され、寝かされた状態で保持されることとなる。
これにより、図６に示すように、血液混和後の真空採血管２０ＡＸと、混和前の真空採血管２０Ａ、２０Ｂと、を容易に識別することができるので、採血作業を未だ行っていない、あるいは、混和作業を忘れることにより検査精度の低下を容易かつ確実に防止することができる。
【００１９】
そして、全ての真空採血管２０に対する採血終了後、採血作業者は、被験者から駆血帯を外して静脈針２１を抜き、翼状針チューブ３０を適切な耐貫通性廃棄容器に廃棄することとなる。なお、以上の説明では、説明を省略したが、翼状針チューブ３０に使用後の静脈針３１を収納可能なホルダ等が設けられている場合には、当該ホルダ等に静脈針３１を収納してから廃棄を行うこととなる。
【００２０】
以上の説明のように、本第１実施形態の採血管用スタンドによれば、真空採血管の準備を患者（被験者）単位で行えるため、病棟などにおいては、例えば、前日など前もって準備を行うことができる。
また、採血前には、真空採血管のラベルが見やすい状態で保持させることが可能であるため、採血作業者および被験者のいずれも検査の種類や、自己の検査であるのか等の確認が容易となる。
また、採血時には、真空採血管を立てた状態で保持し、各真空採血管に導針を穿刺するに際し、片手でも容易に穿刺することが可能な向きに蓋体を保持するので、作業効率が向上する。さらに各真空採血管は立てた状態で保持されているので、採血量の確認も容易となる。さらにまた、一旦、真空採血管内に採取された血液は、液面が導針に触れることがないので、導針が接続されているチューブ内に逆流する危険がない。
【００２１】
また、採血用ホルダを用いる場合と異なり、連続採血時に新たな真空採血管に力を入れて導針を穿刺する場合でも、患者側に力が加わることはなく、静脈針（採血心）は安定に保持でき、痛みが少なく安心して採血を行える。
さらに、採血し混和作業を行った後には、真空採血管をその上部（あるいは中間部）を支持し、寝かせた状態に保持するので、立てた状態で保持されている採血前あるいは混和前の真空採血管と容易に識別でき、未採血あるいは未混和の状態が生じにくく、確実に精度良く検査を行える。
【００２２】
［２］第２実施形態
図８は、第２実施形態の採血管用スタンドに真空採血管を立てた場合の外観斜視図である。図８において、図１と同様の部分には同一の符号を付すものとする。
第２実施形態の採血管用スタンド１０Ａが、第１実施形態の採血管用スタンド１０と異なる点は、ベース部材１５に連設して補強部材４０を設け、その一端を第１実施形態の上部側支持板部材１１に相当する部分に重ね合わせて接着して新たな上部側支持板部材１１Ａとして構成し、採血管用スタンド１０Ａ全体の剛性を高めた点にある。
この結果、導針を真空採血管２０に穿刺するために力を入れた場合でも、ベース部材１５に対して、上部側支持板部材１１Ａ、下部側支持板部材１２、ガイド部材１３および保持部材１４が大きく撓むことはなく、採血作業者はより安心して作業を継続することができる。他の効果については、第１実施形態と同様である。
【００２３】
［３］第３実施形態
図９は、第３実施形態の採血管用スタンドに真空採血管を装着した場合の外観斜視図である。
採血管用スタンド１０Ｂは、アクリルなどの透明樹脂で形成されており、大別すると、真空採血管２０を立てた状態で真空採血管２０の上部側を支持する上部側支持板部材５１と、上部側支持板部材５１と略平行に対向するように設けられ、真空採血管２０を立てた状態で真空採血管２０の下部側を支持する下部側支持板部材５２と、上部側支持板部材５１と略平行に対向するように設けられ、真空採血管２０Ｃの蓋体２０ＣＬに導針を穿刺した場合に、導針に連設された導針ホルダ３４Ａに係合して、導針が真空採血管２０Ｃから外れないようにする導針保持部材５３と、上部側支持板部材５１、下部側支持板部材５２および導針保持部材５３を鉛直方向に対し所定角度だけ傾けて、ひいては、上部側支持板部材５１、下部側支持板部材５２および導針保持部材５３を水平面から所定角度だけ傾けて保持する保持部材５４と、採血管用スタンド１０Ｂが倒れ込まないように支持するベース部材５５と、ベース部材５５の下面側に設けられ、採血管用スタンド１０Ｂが採血作業中に滑らないように設けられた滑り止め脚部５６と、を備えている。
【００２４】
上部側支持板部材５１には、複数の真空採血管に対応する複数のＵ字溝(孔)５７−１、５７−２が形成されている。この場合において、Ｕ字溝５７−１、５７−２は、第１実施形態および第２実施形態における第１孔と同一の機能を有している。
下部側支持板部材５２には、第１孔１７−１、１７−２に対応する複数の第２孔１８−１、１８−２が設けられている。
導針保持部材５３には、第１孔１７−１に対応し、導針ホルダ３４Ａがそれぞれ嵌め込まれて係合するための複数の係合溝５８が設けられている。
【００２５】
ここで、導針保持部材５３を設ける理由について説明する。
上記第１実施形態および第２実施形態で用いていた真空採血管２０Ａ、２０Ｂは、蓋体２０Ｌとして比較的厚いゴム（弾性体）が用いられていたため、導針３４を奥まで穿刺するだけで、その摩擦力によりその状態を保持することができた。しかしながら、本第３実施形態で用いている真空採血管２０Ｃは、当該真空採血管２０Ｃを固定して保持する機能を有する採血用ホルダを用いることを前提としているため、蓋体２０ＣＬとして用いられているゴム（弾性体）は、比較的薄く形成されている。
このため、導針３４を保護しているゴム性の保護カバー３４Ｂを導針３４が突き破って蓋体２０ＣＬに差し込まれる際に、押し縮められることによる保護カバー３４Ｂの弾性力により導針３４が押し戻されて、外れてしまう。
【００２６】
そこで、本第３実施形態では、下部側支持板部材５２の第２孔１８−１、１８−２に真空採血管２０Ｃを挿入し導針３４を当該真空採血管２０Ｃに穿刺した状態とする。そして、Ｕ字溝５７−１、５７−２の奥側に向かって真空採血管２０Ｃを回動させて導針ホルダ３４Ａを押し込むとともに、導針ホルダ３４Ａを係合溝５８に嵌め込むことにより、採血作業中に導針３４が容易に外れないようにしているのである。
以上の説明のように、本第３実施形態によれば、採血用ホルダを用いることを前提として作られた比較的蓋体を構成するゴム（弾性材）が薄く形成されている場合であっても、確実に導針の先端を真空採血管の容器本体内に保持して、確実に採血作業を行うことができる。
他の効果については、第１実施形態と同様である。
［４］実施形態の変形例
以上の説明においては、採血管用スタンドを構成する材料として透明樹脂を用いていたが、不透明樹脂や金属（ステンレスなど）であってもよい。
以上の説明においては、採血管用スタンドは、５本の真空採血管を収納することができるようになっていたが、複数本収納可能な構成とすれば、その数は任意である。
以上の説明においては、上部側支持板部材と、下部側支持板部材とを平行に配置していたが、必ずしも平行に配置する必要はない。すなわち、真空採血管を立てた状態および寝かせた状態の双方で保持でき、かつ、識別用ラベルの記載内容が容易に把握できる状態であればよい。
【図面の簡単な説明】
【００２７】
【図１】第１実施形態の採血管用スタンドの外観斜視図である。
【図２】第１実施形態の採血管用スタンドに真空採血管を装着した場合の側面図である。
【図３】採血時の状態説明図である。
【図４】採血管用スタンドに真空採血管をセットした状態の説明図である。
【図５】図４に対応する真空採血管の保持状態説明部分断面図である。
【図６】混和後の真空採血管の保持状態説明部分断面図である。
【図７】血液混和後の真空採血管と、混和前の真空採血管とが混在する場合の採血管用スタンドの使用状態説明図である。
【図８】第２実施形態の採血管用スタンドに真空採血管を立てた場合の外観斜視図である。
【図９】第３実施形態の採血管用スタンドに真空採血管を装着した場合の外観斜視図である。
【符号の説明】
【００２８】
１０、１０Ａ、１０Ｂ  採血管用スタンド
１１、１１Ａ  上部側支持板部材
１２  下部側支持板部材
１３  ガイド部材
１４  保持部材
１５  ベース部材
１６  脚部
１７−１、１７−２  第１孔
１８−１、１８−２  第２孔
２０、２０Ａ、２０ＡＸ、２０Ｃ  真空採血管
２０ＡＤ  添加剤
２０Ｂ  容器本体
２０ＣＬ  蓋体
２０Ｆ  先端部
２０Ｌ  蓋体
２１    静脈針
３４Ａ  導針ホルダ
３４Ｂ  保護カバー
４０    補強部材
５１    上部側支持板部材
５２    下部側支持板部材
５３    導針保持部材
５４    保持部材
５５    ベース部材
５６    脚部
５７    Ｕ溝
５８    係合溝
【図１】
0005069522.tif 000002
【図２】
0005069522.tif 000003
【図３】
0005069522.tif 000004
【図４】
0005069522.tif 000005
【図５】
0005069522.tif 000006
【図６】
0005069522.tif 000007
【図７】
0005069522.tif 000008
【図８】
0005069522.tif 000009
【図９】
0005069522.tif 000010